(57)【要約】【課題】組み立てが容易であり、外部からの負荷に対しても各端子部のガタつきや位置ずれを十分に抑制できる構造の両面接続用コネクタを提供すること。【解決手段】この両面接続用コネクタ１００の場合、各両端接続用コンタクト１は、絶縁材料によりフレーム２と平行な面上における列設の方向とは垂直な一方側へ凹凸形状を有するように形成した凹凸形状体にあっての凹部１ａに隣接する凸部の表面に導電性膜により電極端子部３を設けて成るコンタクト群支持体として構成され、フレーム２の各コンタクト群支持体収容溝２ａに対する各コンタクト群支持体の装着状態で各凹凸形状体の凸部、並びにフレーム２の各溝２ａにおける凹部となる桟部２ｃと、各凹凸形状体の凹部１ａ、並びにフレーム２の各溝２ａにおける凸部となる突出部２ｂとがそれぞれ対向接近した配置となり、各両端接続用コンタクト１にあっての列設の方向における位置ずれが規制される。【選択図】図１
2007184154.tif 000002
【特許請求の範囲】
【請求項１】
フレームに対して所定の間隔で列設されるように装着固定された複数の両端接続用コンタクトにおける該フレームの両面から突出する電極端子部がそれぞれ接続対象物との接続に供されると共に、該複数の両端接続用コンタクトがそれぞれ柔軟性を持つ絶縁材料の本体表面に対して導電性膜を所定のパターンで設けることにより該電極端子部を形成して成る構造の両面接続用コネクタにおいて、前記複数の両端接続用コンタクトは、前記絶縁材料により前記フレームと平行な面上における前記列設の方向とは垂直な一軸方向の一方側へ所定の間隔で凹凸形状を有するように一体的に形成した凹凸形状体にあっての凸部の表面に前記導電性膜を設けて成るコンタクト群支持体として構成され、前記フレームは、前記コンタクト群支持体における前記凹凸形状体を収容して装着固定するために前記一軸方向の他方側へ所定の間隔で形成された凹凸形状部分を含むコンタクト群支持体収容溝を有し、前記コンタクト群支持体の前記コンタクト群支持体収容溝に対する装着状態で前記凹凸形状体における凸部、並びに前記フレームにあっての該コンタクト群支持体収容溝における凹部となる桟部と、前記凹凸形状体における凹部、並びに前記フレームにあっての前記コンタクト群支持体収容溝における凸部となる突出部とがそれぞれ対向接近した配置となることにより、前記複数の両端接続用コンタクトにあっての前記列設の方向における位置ずれを規制する構造を持つことを特徴とする両面接続用コネクタ。
【請求項２】
請求項１記載の両面接続用コネクタにおいて、前記コンタクト群支持体は、前記凹凸形状体を貫通するように設けられた支柱骨を有し、前記フレームは、前記支柱骨の両端を収容して装着固定するために前記列設の方向で前記コンタクト群支持体収容溝に繋がるように延在して設けられた支柱受け溝を有することを特徴とする両面接続用コネクタ。
【請求項３】
請求項２記載の両面接続用コネクタにおいて、前記支柱受け溝に対して前記支柱骨の両端を装着固定した後に該支柱受け溝を跨いで設けられる蓋を有することを特徴とする両面接続用コネクタ。
【請求項４】
請求項１〜３の何れか一つに記載の両面接続用コネクタにおいて、前記フレームにおける前記コンタクト群支持体収容溝は、前記一軸方向へ所定数のものが所定の間隔で設けられ、前記コンタクト群支持体は、所定数のものが前記所定数のコンタクト群支持体収容溝に装着固定されて成ることを特徴とする両面接続用コネクタ。
【請求項５】
請求項４記載の両面接続用コネクタにおいて、前記フレームにおける前記コンタクト群支持体収容溝は、前記凹凸形状部分が互いに前記一軸方向で揃うように形成されたことを特徴とする両面接続用コネクタ。
【請求項６】
請求項４記載の両面接続用コネクタにおいて、前記フレームにおける前記コンタクト群支持体収容溝は、前記凹凸形状部分が互いに前記一軸方向で向き合うように形成されたことを特徴とする両面接続用コネクタ。
【発明の詳細な説明】
【技術分野】
【０００１】
本発明は、主としてフレームに対して所定の間隔で列設されるように装着固定された複数の両端接続用コンタクトにおけるフレームの両面から突出した電極端子部がそれぞれ小型印刷回路基板，ＩＣチップ等の接続対象物との接続に供される構造の両面接続用コネクタに関する。
【背景技術】
【０００２】
従来、この種の両面接続用コネクタとしては、例えば端子部を枠に圧入手段によって簡便に固定することができ、応力−歪特性が良好で端子部の一部が破損しても破損した一部のみの修繕が容易な構造のもの（特許文献１参照）等が挙げられる。
【０００３】
【特許文献１】特開２００５−２２８５０４号公報（要約）
【発明の開示】
【発明が解決しようとする課題】
【０００４】
上述した特許文献１に係る両面接続用コネクタの場合、各端子部（両端接続用コンタクト）をフレームに装着固定するときには、各端子部として、列設の方向と垂直な方向での断面形状が略カマボコ状であると共に、突起（ダボ）を有する構造のものを長穴開口部（溝）に組み込んでいるが、このときに溝の幅よりも突起の幅の方が大きくて大きな摩擦力を生じる条件下で無理やり押し込んで圧入する作業を要するために大変組み込み難く、組み立てを容易に行うことができないという問題がある他、組み込んだ後にも長穴開口部が列設された所定数の各端子部の全体を収納して装着固定できるようにクリアランス（隙間）を持つものであるために搬送時等で外力が加えられるとガタつきを生じたり、或いは位置ずれを起こすのを防止できず、こうした場合に相手側接続対象物との接続を高精度で良好に行うことができなくなってしまうという構造上の難点もある。
【０００５】
図３は、この特許文献１に係る両面接続用コネクタ１０における位置ずれの問題を説明するために示した要部の平面図である。
【０００６】
この両面接続用コネクタ１０の場合、各端子部（各両端接続用コンタクト１′）は、絶縁材料によりフレーム２０と平行な面上における列設の方向とは垂直な一軸方向の他方側［図３中では紙面の右側を示す］へ所定の間隔で凸状の突起（ダボ）１′ａを有するように一体的に形成した凹凸形状体にあって、一軸方向の一方側［図３中では紙面の左側を示す］における各突起１′ａの延長上に位置される表面局部に対し、それぞれ導電性膜により所定の間隔で電極端子部３０を設けることにより、コンタクト群支持体として構成されている。尚、ここでのコンタクト群支持体における各電極端子部３０が設けられた各両端接続用コンタクト１′は、列設の方向と垂直な方向での断面形状が略カマボコ状となっている。
【０００７】
又、フレーム２０は、コンタクト群支持体の凹凸形状体を収容して装着固定するための凹凸形状部分を有するコンタクト群支持体収容溝（上述した長穴開口部）２０ａを有している。このコンタクト群支持体収容溝２０ａは、各突起１′ａを圧入できるように、それらに対応する箇所に所定の間隔で圧入用凹部（圧入代）２０ｃを有すると共に、各圧入用凹部２０ｃ間に凸部となる桟部２０ｂを有している。更に、フレーム２０におけるコンタクト群支持体収容溝２０ａは、一軸方向（凹凸形状部分の延在方向）へ複数（ここでは４つを示す）のものが所定の間隔で設けられると共に、凹凸形状部分が一軸方向で揃うように形成されている。加えて、コンタクト群支持体は、同じ数（ここでは４つを示す）の凹凸形状体が各コンタクト群支持体収容溝２０ａにそれぞれ収容されて装着固定される。
【０００８】
こうした各コンタクト群支持体がフレーム２０の各コンタクト群支持体収容溝２０ａに収容されて装着固定されることにより多列構造の両面接続用コネクタ１０として組み立てられる際、各コンタクト群支持体（各凹凸形状体）の大部分が変形し易い柔軟性を持つ絶縁材料から成るものである上、寸法の加工精度に幾分のばらつきを生じることを考慮しなければならないことに加え、上述したように各コンタクト群支持体収容溝２０ａが列設の方向で各コンタクト群支持体に対して或る程度のクリアランスを持つものであるため、こうした諸要素が重なった状況を想定すれば、外部から振動や衝撃等の負荷が加えられるとガタつきを生じて距離△ｘ１で示されるような比較的小さな変位を起こしたり、或いは位置ずれを生じて距離△ｘ２で示されるような比較的大きな変位を起こす場合（但し、△ｘ２＞△ｘ１）があり、こうした場合に各コンタクト群支持体の各端子部である各両端接続用コンタクト１′による相手側接続対象物との接続を正常に行うことができなくなってしまう危険性がある。
【０００９】
本発明は、このような問題点を解決すべくなされたもので、その技術的課題は、組み立てが容易であると共に、外部からの負荷に対しても各端子部のガタつきや位置ずれを十分に抑制できて相手側接続対象物との接続を高精度で良好に行うことができる構造の両面接続用コネクタを提供することにある。
【課題を解決するための手段】
【００１０】
本発明によれば、フレームに対して所定の間隔で列設されるように装着固定された複数の両端接続用コンタクトにおける該フレームの両面から突出する電極端子部がそれぞれ接続対象物との接続に供されると共に、該複数の両端接続用コンタクトがそれぞれ柔軟性を持つ絶縁材料の本体表面に対して導電性膜を所定のパターンで設けることにより該電極端子部を形成して成る構造の両面接続用コネクタにおいて、複数の両端接続用コンタクトは、絶縁材料によりフレームと平行な面上における列設の方向とは垂直な一軸方向の一方側へ所定の間隔で凹凸形状を有するように一体的に形成した凹凸形状体にあっての凸部の表面に導電性膜を設けて成るコンタクト群支持体として構成され、フレームは、コンタクト群支持体における凹凸形状体を収容して装着固定するために一軸方向の他方側へ所定の間隔で形成された凹凸形状部分を含むコンタクト群支持体収容溝を有し、コンタクト群支持体のコンタクト群支持体収容溝に対する装着状態で凹凸形状体における凸部、並びにフレームにあっての該コンタクト群支持体収容溝における凹部となる桟部と、凹凸形状体における凹部、並びにフレームにあってのコンタクト群支持体収容溝における凸部となる突出部とがそれぞれ対向接近した配置となることにより、複数の両端接続用コンタクトにあっての列設の方向における位置ずれを規制する構造を持つ両面接続用コネクタが得られる。
【００１１】
又、本発明によれば、上記両面接続用コネクタにおいて、コンタクト群支持体は、凹凸形状体を貫通するように設けられた支柱骨を有し、フレームは、支柱骨の両端を収容して装着固定するために列設方向でコンタクト群支持体収容溝に繋がるように延在して設けられた支柱受け溝を有する両面接続用コネクタが得られる。
【００１２】
更に、本発明によれば、上記両面接続用コネクタにおいて、支柱受け溝に対して支柱骨の両端を装着固定した後に該支柱受け溝を跨いで設けられる蓋を有する両面接続用コネクタが得られる。
【００１３】
加えて、本発明によれば、上記何れか一つの両面接続用コネクタにおいて、フレームにおけるコンタクト群支持体収容溝は、（凹凸形状部分の延在方向）一軸方向へ所定数のものが所定の間隔で設けられ、コンタクト群支持体は、所定数のものが所定数のコンタクト群支持体収容溝に装着固定されて成る両面接続用コネクタが得られる。この両面接続用コネクタにおいて、フレームにおけるコンタクト群支持体収容溝は、凹凸形状部分が互いに一軸方向で揃うように形成されたこと、或いは凹凸形状部分が互いに一軸方向で向き合うように形成されたことは、何れも好ましい。
【発明の効果】
【００１４】
本発明の両面接続用コネクタの場合、組み立てが容易になると共に、搬送時のような外部からの振動や衝撃による負荷に対しても各端子部のガタつきや位置ずれを十分に抑制できて外れも生じることなく、相手側接続対象物との間の接続を高精度で良好に行うことができるので、製品としての安定性，耐久性，及び信頼性が向上する。
【発明を実施するための最良の形態】
【００１５】
本発明の最良の形態に係る両面接続用コネクタは、フレームに対して所定の間隔で列設されるように装着固定された複数の両端接続用コンタクトにおけるフレームの両面から突出する電極端子部がそれぞれ接続対象物との接続に供されると共に、各両端接続用コンタクトがそれぞれ柔軟性を持つ絶縁材料の本体表面に対して導電性膜を所定のパターンで設けることにより電極端子部を形成して成る構造であることを基本とする。
【００１６】
但し、この両面接続用コネクタの場合、各両端接続用コンタクトについては、絶縁材料によりフレームと平行な面上における列設の方向とは垂直な一軸方向の一方側へ所定の間隔で凹凸形状を有するように一体的に形成した凹凸形状体にあっての凸部の表面に導電性膜により電極端子部を設けて成るコンタクト群支持体として構成され、フレームについては、コンタクト群支持体における凹凸形状体を収容して装着固定するために一軸方向の他方側へ所定の間隔で形成された凹凸形状部分を含むコンタクト群支持体収容溝を有するものである。こうした構成において、コンタクト群支持体のコンタクト群支持体収容溝に対する装着状態で凹凸形状体における凸部、並びにフレームにあってのコンタクト群支持体収容溝における凹部となる桟部と、凹凸形状体における凹部、並びにフレームにあってのコンタクト群支持体収容溝における凸部となる突出部とがそれぞれ対向接近した配置となることにより、各両端接続用コンタクトにあっての列設の方向における位置ずれを規制する構造を持つものである。
【００１７】
以下は、具体的な実施例を挙げて、本発明の両面接続用コネクタについて、図面を参照して詳細に説明する。
【実施例１】
【００１８】
図１は、本発明の実施例１に係る両面接続用コネクタ１００の要部構成を各両端接続用コンタクト１のフレーム２に対する組み込み状態で示したもので、同図（ａ）は上面方向からの平面図に関するもの，同図（ｂ）は列設方向と垂直な面方向の断面図であって、同図（ａ）中におけるＡ−Ａ線方向に沿った部分拡大図である。
【００１９】
この両面接続用コネクタ１００の場合、各両端接続用コンタクト１は、絶縁材料によりフレーム２と平行な面上における列設の方向とは垂直な一軸方向の一方側［図１（ａ）中では紙面の左側を示す］へ所定の間隔で凹凸形状を有するように一体的に形成した凹凸形状体にあっての凹部１ａに隣接する凸部の表面に対し、所定のピッチ間隔△ｐで導電性膜により電極端子部３を設けることにより、コンタクト群支持体として構成されている。尚、ここでのコンタクト群支持体における各電極端子部３が設けられた各両端接続用コンタクト１についても、列設の方向と垂直な方向での断面形状が略カマボコ状となっている。
【００２０】
又、フレーム２は、コンタクト群支持体における凹凸形状体を収容して装着固定するために一軸方向の他方側［図１（ａ）中では紙面の右側を示す］へ所定の間隔で形成された凹凸形状部分を含むコンタクト群支持体収容溝２ａを有している。このコンタクト群支持体収容溝２ａは、コンタクト群支持体の凹凸形状体における凹部１ａ，凸部を収容できるように、それらに対応する箇所に凸部となる突出部２ｂ，各突出部２ｂ間に形成された凹部となる桟部２ｃを有している。更に、ここでのフレーム２におけるコンタクト群支持体収容溝２ａについても、一軸方向（凹凸形状部分の延在方向）へ複数（ここでも４つを示す）のものが所定の間隔で設けられると共に、凹凸形状部分が互いに一軸方向で揃うように形成されている。加えて、コンタクト群支持体は、同じ数（ここでも４つを示す）の凹凸形状体が各コンタクト群支持体収容溝２ａの凹凸形状部分に収容されて装着固定される。
【００２１】
即ち、この両面接続用コネクタ１００では、各コンタクト群支持体の各コンタクト群支持体収容溝２ａに対する装着状態で各凹凸形状体における凸部、並びにフレーム２にあっての各コンタクト群支持体収容溝２ａにおける凹部となる桟部２ｃと、各凹凸形状体における凹部１ａ、並びにフレーム２にあっての各コンタクト群支持体収容溝２ａにおける凸部となる突出部２ｂとがそれぞれ対向接近した配置となることにより、各両端接続用コンタクト１にあっての列設の方向における位置ずれを規制する構造が持たされている。
【００２２】
その他、この両面接続用コネクタ１００の場合、各コンタクト群支持体は、各凹凸形状体を貫通するように設けられた支柱骨４を有し、フレーム２については、各支柱骨４の両端を収容して装着固定するために列設の方向で各コンタクト群支持体収容溝２ａに繋がるように延在して設けられた支柱受け溝２ｄを有し、更に各支柱受け溝２ｄに対して各支柱骨４の両端を装着固定した後に各支柱受け溝４を跨いで蓋５が設けられている。
【００２３】
こうした凹凸形状体による各コンタクト群支持体がフレーム２に同様な凹凸形状部分を持つように形成された各コンタクト群支持体収容溝２ａに対して収容されて装着固定されることにより多列構造の両面接続用コネクタ１００として組み立てられる際、各凹凸形状体における凸部、並びにフレーム２にあっての各コンタクト群支持体収容溝２ａにおける凹部となる桟部２ｃと、各凹凸形状体における凹部１ａ、並びにフレーム２にあっての各コンタクト群支持体収容溝２ａにおける凸部となる突出部２ｂとがそれぞれ隣接接近した配置となるため、組み立てが容易になる他、各コンタクト群支持体の大部分が変形し易い柔軟性を持つ絶縁材料から成るものであって、しかも寸法の加工精度に幾分のばらつきを生じるものであったり、或いは各コンタクト群支持体収容溝２ａが列設の方向で各コンタクト群支持体に対して或る程度のクリアランスを持つものであっても、各コンタクト群支持体の各両端接続用コンタクト１にあっての列設の方向における位置ずれが適確に規制される。結果として、この多列構造の両面接続用コネクタ１００の場合には、搬送時のような外部からの振動や衝撃による負荷に対しても各コンタクト群支持体（各凹凸形状体）における端子部となる各両端接続用コンタクト１のガタつきや位置ずれが十分に抑制され、各両端接続用コンタクト１による相手側接続対象物との間の接続を高精度で良好に行うことができる。
【００２４】
又、この両面接続用コネクタ１００の場合、各コンタクト群支持体の各凹凸形状体を貫通するように設けられた支柱骨４の両端が各コンタクト群支持体収容溝２ａに繋がるように延在して設けられた支柱受け溝２ｄに収容されて装着固定された後、これらの各支柱受け溝４を跨ぐように蓋５が装着されるため、振動や衝撃による負荷に対しても各端子部である各両端接続用コンタクト１のガタつきや位置ずれを十分に抑制できる上、外れも生じることがなく、製品としての安定性及び耐久性が保証されるようになっている。
【実施例２】
【００２５】
図２は、本発明の実施例２に係る両面接続用コネクタ１００′の外観構成を示した斜視図である。
【００２６】
この両面接続用コネクタ１００′の場合、先の実施例１に係る両面接続用コネクタ１００と比べ、フレーム２′におけるコンタクト群支持体収容溝を変形し、凹凸形状部分が互いに一軸方向で揃うのではなく、互いに一軸方向で向き合うようにフレーム２′の長手方向の辺縁寄りに一対として形成（外観上は突出部２ｂ′及びそれに隣接する桟部２ｃ′が露呈される）した上、一対のコンタクト群支持体をその凹凸形状体が互いに向き合うように各コンタクト群支持体収容溝へ収容して装着固定された点が相違している。又、この両面接続用コネクタ１００′の場合も、各コンタクト群支持体の各凹凸形状体を貫通するように設けられた支柱骨４の両端が各コンタクト群支持体収容溝に繋がるように延在して設けられた支柱受け溝に収容されて装着固定された後、これらの各支柱受け溝を跨ぐようにフレーム２′の短手方向の辺縁寄り部分に対して細長い板状の蓋５′が装着される。
【００２７】
従って、この両面接続用コネクタ１００′の場合も、先の実施例１に係る両面接続用コネクタ１００と同様に、組み立てが容易になると共に、外部からの振動や衝撃による負荷に対しても端子部となる各両端接続用コンタクト１のガタつきや位置ずれを十分に抑制できて外れも生じることなく、各両端接続用コンタクト１による相手側接続対象物との間の接続を高精度で良好に行うことができる。
【図面の簡単な説明】
【００２８】
【図１】本発明の実施例１に係る両面接続用コネクタの要部構成を各両端接続用コンタクトのフレームに対する組み込み状態で示したもので、（ａ）は上面方向からの平面図に関するもの，（ｂ）は列設方向と垂直な面方向の断面図であって、（ａ）中におけるＡ−Ａ線方向に沿った部分拡大図である。
【図２】本発明の実施例２に係る両面接続用コネクタの外観構成を示した斜視図である。
【図３】従来の両面接続用コネクタにおける位置ずれの問題を説明するために示した要部の平面図である。
【符号の説明】
【００２９】
１，１′  両端接続用コンタクト
１ａ  凹部
１′ａ  突起
２，２′，２０  フレーム
２ａ，２０ａ  コンタクト群支持体収容溝
２ｂ，２ｂ′  突出部
２ｃ，２ｃ′，２０ｂ  桟部
２ｄ  支柱受け溝
３，３０  電極端子部
４  支柱骨
５，５′  蓋
１０，１００，１００′  両面接続用コネクタ
２０ｃ  圧入用凹部
【図１】
2007184154.tif 000003
【図２】
2007184154.tif 000004
【図３】
2007184154.tif 000005